(57)【要約】【課題】家庭用浴槽の風呂釜内部を洗浄剤で洗浄する場合に風呂釜の内部回路は曲折しているので、内部に付着、滞留する湯垢を完全に排除するには洗浄剤溶液を風呂釜内一度だけ注入して浴槽内に排出するだけでは洗浄剤が有効に働かず、且つ環境汚染の虞もある、又、洗浄時間の短縮と操作の容易が望まれる。【解決手段】風呂釜洗浄器の上下のテーパーブツシュを浴槽の上下の通水孔に挿入して、蛇腹ポンプを手動で圧縮、伸張して、同一洗浄剤溶液を繰り返し風呂釜内と洗浄器の間を循環するので、洗浄剤の使用量を軽減すると共に洗浄効果を増し、且つ最終洗浄に用いる気泡水ノズルも一体構成されているので洗浄液洗浄から連続して気泡水洗浄に移る事が可能であり、洗浄時間の短縮が可能となる構造の風呂釜洗浄器。【選択図】図１
2008064441.tif 000002
【特許請求の範囲】
【請求項１】
家庭用風呂釜の下部通水孔に洗浄剤液の注入テーパーブッシュを挿入し、上部通水孔に吸い込みテーパーブッシュを挿入して、一体構成される蛇腹ポンプの手動による圧縮、伸張により生ずる水圧により洗浄剤溶液を風呂釜内部回路と風呂釜洗浄器の間で循環し、湯垢が剥離、浮遊した後に蛇腹ポンプを開き、水道栓バルブと空気孔開閉リングを開き、空気孔から入れた空気と水を混合した気泡水を風呂釜内に放射することにより風呂釜内部回路に滞留する湯垢を風呂釜外に排除する、上記の機構の風呂釜洗浄器。
【発明の詳細な説明】
【技術分野】
【０００１】本考案は風呂釜の内部に付着、滞留する湯垢を排除する為洗浄剤溶液を風呂釜内に注入し、循環して湯垢を剥離した後に、水道水に空気を混合た気泡水を圧入して風呂釜内から湯垢を排除する機構に関する。
【背景技術】
【０００２】実用新案登録３１１５４５５号による風呂釜洗浄器は風呂釜内の回路を循環する洗浄剤溶液が上方から下方に流れる機構と成っている、洗浄剤を残り湯温で溶解する場合は差し支えないが、時間を経過して低温度になり洗浄剤を加熱した方が効果がある場合は風呂釜内の洗浄剤溶液の流れを下方から上方に流れる本特許願いによる機構が有効である。
【発明の開示】
【発明が開示しようとする課題】
【０００３】洗浄剤溶液の循環方向は図１の１２の注入テーパーブッシュから風呂釜内には入つて図１の２吸い込みテーパーブツシュから洗浄剤室に戻つて来る機構とした。風呂釜洗浄器の蛇腹ポンプ開いて、洗浄剤を補充し、図１の４の上部筒を浴槽内に浸すと湯水は風呂釜洗浄器内に浸水し、空気が排出されてから蛇腹ポンプを閉じて、風呂釜の上下の通水孔にテーパーブツシュを夫々挿入し、蛇腹ポンプを圧縮、伸張すると、湯水は図１の５の洗浄剤室に補充してある洗浄剤を溶かして、風呂釜の下部通水路に射出され風呂釜内回路の湯垢を剥離し、浮上せしめ蛇腹ポンプの圧縮と伸張を繰り返す事により、洗浄剤溶液は風呂釜内回路と洗浄器内を循環し湯垢の排出を容易な状態にする。
【発明を解決するための手段】
【０００４】図１の３の吸い込み逆止弁は蛇腹ポンプの圧縮時には閉じて洗浄剤溶液を下部の図１の１２の注入テーパーブツシュ方向に押し下げ、蛇腹ポンプの伸張時には風呂釜よりの戻り洗浄液を吸入する、
【０００５】浴槽壁に設定された各通水孔の上下間のピツチはメーカーにより多少の違いがあるので、其のピツチに合わせる様に上下テーパーブツシュピツチを摺動調整して図１の８の伸縮ロツクねじで固定する
【０００６】洗浄剤溶液による風呂釜内の湯垢の浮遊が認められてから図１の１５の水道接續口を水道栓に嵌め込み、図１の６の蛇腹ポンプを開き、図１の１６の空気孔開閉キヤツプを開き、水道栓のバルブを開く事により、外部エアーと水道水が混合して気泡水となつて風呂釜内に噴射され、風呂釜内に浮遊する湯垢を浴槽内に排出する。尚、図１の１６の空気孔開閉キヤツプは洗浄剤の循環作業中は、逆流防止の為空気孔を閉止位置に下げる。
【発明の効果】
【０００７】従来の風呂釜洗浄剤による風呂釜内の洗浄は一方の通水孔から洗浄剤溶液を注入して戻りは浴槽内に排出されるので洗浄剤の成分が薄くなり、従つて使用量が多くなり、環境汚染の恐れがある。本発明の風呂釜洗浄器によれば洗浄剤溶液を繰り返し循環使用するので洗浄剤を有効に消費でき、環境汚染も少ない。
【発明を實施するための最良の形態】
【０００８】洗浄剤溶液により風呂釜内の湯垢を剥離、浮遊せしめた後、蛇腹ポンプのみを開き、上下通水孔に挿入されたブツシュは抜かないで引き續き次の工程である気泡水の噴射が行えるので洗浄に要する作業時間を短縮し、且つ気泡水の為、単なる水道水よりも洗浄効果を得る。
【産業上の利用可能性】
【０００９】上述した本発明の風呂釜洗浄器は家庭用の風呂釜洗浄のみでなく、工業用の小型のボイラーの洗浄に使用することも可能である。
【図面の簡単な説明】
【００１０】
【図１】風呂釜洗浄器の側面断面図である
【図２】風呂釜洗浄器の正面図である
【図３】風呂釜洗浄器の背面図である
【図４】風呂釜洗浄器の右側面図である
【図５】風呂釜洗浄器の左側面図である
【図６】風呂釜洗浄器の平面図である
【図７】風呂釜洗浄器の底面図である
【符号の説明】
【００１１】  １  浴槽
２  吸い込みテーパーブツシュ
３  吸い込み逆止弁
４  上部室筒
５  蛇腹ポンプ兼洗浄剤室
６  洗浄剤室開閉軸
７  Ｏリング
８  伸縮ロツクねじ
９  ロツクねじスライド溝
１０  下部室筒
１２  注入テーパーブツシュ
１３  気泡ノズル
１４  気泡チューブ
１５  水道接續口
１６  空気孔開閉キヤツプ
１７  空気孔
【図１】
2008064441.tif 000003
【図２】
2008064441.tif 000004
【図３】
2008064441.tif 000005
【図４】
2008064441.tif 000006
【図５】
2008064441.tif 000007
【図６】
2008064441.tif 000008
【図７】
2008064441.tif 000009
【手続補正書】
【提出日】平成18年10月3日(2006.10.3)
【手続補正１】
【補正対象書類名】明細書
【補正対象項目名】全文
【補正方法】変更
【補正の内容】
【発明の詳細な説明】
【技術分野】
【０００１】本考案は風呂釜の内部に付着、滞留する湯垢を排除する為洗浄剤溶液を風呂釜内に注入し、循環して湯垢を剥離した後に、水道水に空気を混合た気泡水を圧入して風呂釜内から湯垢を排除する機構に関する。
【背景技術】
【０００２】実用新案登録３１１５４５５号による風呂釜洗浄器は風呂釜内の回路を循環する洗浄剤溶液が上方から下方に流れる機構と成っている、洗浄剤を残り湯温で溶解する場合は差し支えないが、時間を経過して低温度になり洗浄剤を加熱した方が効果がある場合は風呂釜内の洗浄剤溶液の流れを下方から上方に流れる本特許願いによる機構が有効である。
【発明の開示】
【発明が開示しようとする課題】
【０００３】洗浄剤溶液の循環方向は図１の１２の注入テーパーブツシュから風呂釜内には入って図１の２吸い込みテーパーブツシュから洗浄剤室に戻って来る機構とした。風呂釜洗浄器の蛇腹ポンプ開いて、洗浄剤を補充し、図１の４の上部筒を浴槽内に浸すと湯水は風呂釜洗浄器内に浸水し、空気が排出されてから蛇腹ポンプを閉じて、風呂釜の上下の通水孔にテーパーブツシュを夫々挿入し、蛇腹ポンプを圧縮、伸張すると、湯水は図１の５の洗浄剤室に補充してある洗浄剤を溶かして、風呂釜の下部通水路に射出され風呂釜内回路の湯垢を剥離し、浮上せしめ蛇腹ポンプの圧縮と伸張を繰り返す事により、洗浄剤溶液は風呂釜内回路と洗浄器内を循環し湯垢の排出を容易な状態にする。
【発明を解決するための手段】
【０００４】図１の３の吸い込み逆止弁は蛇腹ポンプの圧縮時には閉じて洗浄剤溶液を下部の図１の１２の注入テーパーブツシュ方向に押し下げ、蛇腹ポンプの伸張時には風呂釜よりの戻り洗浄液を吸入する、
【０００５】浴槽壁に設定された各通水孔の上下間のピツチはメーカーにより多少の違いがあるので、其のピツチに合わせる様に上下テーパーブツシュピツチを摺動調整して図１の８の伸縮ロツクねじで固定する
【０００６】洗浄剤溶液による風呂釜内の湯垢の浮遊が認められてから図１の１５の水道接續口を水道栓に嵌め込み、図１の５の蛇腹ポンプを開き、図１の１６の空気孔開閉キヤツプを開き、水道栓のバルブを開く事により、外部エアーと水道水が混合して気泡水となつて風呂釜内に噴射され、風呂釜内に浮遊する湯垢を浴槽内に排出する。尚、図１の１６の空気孔開閉キヤツプは洗浄剤の循環作業中は、逆流防止の為空気孔を閉止位置に下げる。
【発明の効果】
【０００７】従来の風呂釜洗浄剤による風呂釜内の洗浄は一方の通水孔から洗浄剤溶液を注入して戻りは浴槽内に排出されるので洗浄剤の成分が薄くなり、従って使用量が多くなり、環境汚染の恐れがある。本発明の風呂釜洗浄器によれば洗浄剤溶液を繰り返し循環使用するので洗浄剤を有効に消費でき、環境汚染も少ない。
【発明を實施するための最良の形態】
【０００８】洗浄剤溶液により風呂釜内の湯垢を剥離、浮遊せしめた後、蛇腹ポンプのみを開き、上下通水孔に挿入されたブツシュは抜かないで引き續き次の工程である気泡水の噴射が行えるので洗浄に要する作業時間を短縮し、且つ気泡水の為、単なる水道水よりも洗浄効果を得る。
【産業上の利用可能性】
【０００９】上述した本発明の風呂釜洗浄器は家庭用の風呂釜洗浄のみでなく、工業用の小型のボイラーの洗浄に使用することも可能である。
【図面の簡単な説明】
【００１０】
【図１】風呂釜洗浄器の側面断面図である
【図２】風呂釜洗浄器の正面図である
【図３】風呂釜洗浄器の背面図である
【図４】風呂釜洗浄器の右側面図である
【図５】風呂釜洗浄器の左側面図である
【図６】風呂釜洗浄器の平面図である
【図７】風呂釜洗浄器の底面図である
【符号の説明】
【００１１】  １  浴槽
２  吸い込みテーパーブツシュ
３  吸い込み逆止弁
４  上部室筒
５  蛇腹ポンプ兼洗浄剤室
６  洗浄剤室開閉軸
７  Ｏリング
８  伸縮ロツクねじ
９  ロツクねじスライド溝
１０  下部室筒
１１  注入逆止弁
１２  注入テーパーブツシュ
１３  気泡水ノズル
１４  気泡水チューブ
１５  水道接續口
１６  空気孔開閉キヤツプ
１７  空気孔
【手続補正２】
【補正対象書類名】図面
【補正対象項目名】図２
【補正方法】変更
【補正の内容】
【図２】
2008064441.tif 000010
【手続補正３】
【補正対象書類名】図面
【補正対象項目名】図７
【補正方法】変更
【補正の内容】
【図７】
2008064441.tif 000011
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
浴槽壁に設定された各通水孔の上下間のピツチに合わせて、伸縮可能の状態で嵌合された上部筒室（４）及び下部筒室（１０）を形成し、上部筒室（４）に吸い込みテーパーブッシュ（２）と吸い込み逆止弁（３）が固定され、下部筒室（１０）に注入テーパーブッシュ（１２）と注入逆止弁が（１１）が固定され、上下のテーパーブッシュのピッチを摺動調整し固定する伸縮ロックねじ（８）を備え、上下のテーパーブッシュを浴槽の上下の通水孔に挿入し、上部筒室（４）に一体構成される蛇腹ポンプ（５）の圧縮時には、吸い込み逆止弁（３）は閉じ、注入逆止弁（１１）は開く、蛇腹ポンプ（５）の伸張時には吸い込み逆止弁（３）が開き、注入逆止弁（１１）は閉じる、上記の蛇腹ポンプ（５）の手動による圧縮、伸張を連続数回行うことにより生ずる水圧により洗浄剤溶液を風呂釜回路と風呂釜洗浄器の間で循環し、湯垢の剥離を確認してから蛇腹ポンプを洗浄室開閉軸（６）を中心として開放し、水道栓バルブと空気孔開閉キヤップ（１６）を開き、空気孔（１７）から入れた空気と水道水を混合した気泡水を前記風呂釜内に放射することにより前記風呂釜内部回路に滞留する湯垢を前記風呂釜外に排除する家庭用風呂釜洗浄器。